(57)【特許請求の範囲】
【請求項１】
乗場出入口の両側にそれぞれ垂直方向に立設された三方枠取付用縦アングルと、
前記三方枠取付用縦アングルの下端部に互いに対向するように設けられた左右一対の敷居芯出し具と、
前記左右一対の敷居芯出し具により支持された乗場敷居とを備え、
前記左右一対の芯出し具は、強力磁石を内蔵し前記三方枠取付用縦アングルの下端部に磁力により吸着されて取り付けられる磁石保持部と、前記磁石保持部が一端に取り付け固定され、磁石取り付け側とは反対側に前記乗場敷居を支持する敷居受け金と、前記敷居受け金に支持される前記乗場敷居を押さえる敷居押さえ板と、前記敷居受け金と敷居押さえ板との間に前記乗場敷居を挟んで締結固定する締結具とを備えたことを特徴とするエレベータの乗場敷居据付装置。
【請求項２】
乗場出入口の両側にそれぞれ垂直方向に立設された三方枠取付用縦アングルと、
前記三方枠取付用縦アングルの下端部に互いに対向するように設けられた左右一対の敷居芯出し具と、
前記左右一対の敷居芯出し具により支持された乗場敷居とを備え、
前記左右一対の芯出し具は、強力磁石を内蔵し前記三方枠取付用縦アングルの下端部に磁力により吸着されて取り付けられる磁石保持部と、前記磁石保持部に一端が取り付け固定され、磁石取り付け側とは反対側に前記乗場敷居を載置して支持する敷居受け金と、前記敷居受け金上に載置された前記乗場敷居を上方から押さえる敷居押さえ板と、前記敷居受け金と敷居押さえ板との間に前記乗場敷居を挟んで締結固定する締結具とを備えたことを特徴とするエレベータの乗場敷居据付装置。
【請求項３】
乗場出入口の両側にそれぞれ垂直方向に立設された三方枠取付用縦アングルと、
前記三方枠取付用縦アングルの下端部に互いに対向するように設けられた左右一対の敷居芯出し具と、
前記左右一対の敷居芯出し具により支持された乗場敷居とを備え、
前記左右一対の芯出し具は、強力磁石を内蔵し前記三方枠取付用縦アングルの下端部に磁力により吸着されて取り付けられる磁石保持部と、前記磁石保持部が一端の上面に取り付け固定され、磁石取り付け側とは反対側下面に前記乗場敷居を配置して上方から受ける敷居受け金と、前記敷居受け金の下面に位置する前記乗場敷居を下方から押さえる敷居押さえ板と、前記敷居受け金と敷居押さえ板との間に前記乗場敷居を挟んで締結固定する締結具とを備えたことを特徴とするエレベータの乗場敷居据付装置。
【請求項４】
敷居受け金は断面Ｌ字状であり、前記敷居受け金の磁石保持部への取り付け側端部の垂直部には、取付ねじが貫通する複数の貫通孔が設けられ、前記敷居受け金の乗場敷居載置側の水平部には、スタッドボルトが貫通する複数の貫通孔が設けられていることを特徴とする請求項２記載のエレベータの乗場敷居据付装置。
【請求項５】
敷居押さえ板は平板状であり、スタッドボルトの上端部が貫通する複数の貫通孔が設けられていることを特徴とする請求項４記載のエレベータの乗場敷居据付装置。
【請求項６】
締結具は、敷居受け金の水平部に上向きに起立して取り付けられたスタッドボルトと、前記スタッドボルトの上端部にねじ込まれる蝶ナットとからなることを特徴とする請求項５記載のエレベータの乗場敷居据付装置。
【請求項７】
締結具は、敷居受け金の水平部下面に頭部が溶接固定され、上向きに起立して取り付けられたスタッドボルトと、前記スタッドボルトの上端部にねじ込まれる蝶ナットとからなることを特徴とする請求項５記載のエレベータの乗場敷居据付装置。
【請求項８】
敷居受け金は平板状であり、前記敷居受け金の磁石保持部への取り付け側端部には、取付ねじが貫通する複数の貫通孔が設けられ、前記敷居受け金の乗場敷居配置側には、蝶ボルトが挿入される複数の貫通孔が設けられていることを特徴とする請求項３記載のエレベータの乗場敷居据付装置。
【請求項９】
敷居押さえ板は平板状であり、蝶ボルトの下端ねじ部がねじ込まれる複数のねじ孔が設けられていることを特徴とする請求項８記載のエレベータの乗場敷居据付装置。
【請求項１０】
締結具は、敷居受け金の貫通孔に上方から挿脱される蝶ボルトと、敷居押さえ板に設けられ、前記蝶ボルトの下端ねじ部がねじ込まれるねじ孔とからなることを特徴とする請求項９記載のエレベータの乗場敷居据付装置。
【請求項１１】
締結具は、敷居受け金の貫通孔に上方から挿脱される蝶ボルトと、前記蝶ボルトの頭部下面と敷居受け金の上面との間に介在される座金と、敷居押さえ板に設けられ、前記蝶ボルトの下端ねじ部がねじ込まれるねじ孔とからなることを特徴とする請求項９記載のエレベータの乗場敷居据付装置。
【発明の詳細な説明】
【技術分野】
【０００１】
この発明は、エレベータの乗場敷居据付装置に関するものである。
【背景技術】
【０００２】
従来、エレベータの乗場敷居据付においては、敷居の下側に木片、ライナ等を差し込み、高さ調整を行っていた。
【０００３】
また、従来技術として、エレベータ昇降路の出入口側の鉛直壁面に螺着され該出入口よりも下方に位置する溝形の第１金具と、この第１金具の１フランジ壁に螺着される該鉛直壁面方向に変位可能な倒Ｌ字状の取付金具と、この取付金具の水平部に穿設された遊貫孔と、該水平部の上下面にそれぞれ重合されて該遊貫孔を閉塞する一対の座板と、この一対の座板及び該遊貫孔を垂直に貫通するスタッドボルトと、このスタッドボルトに螺嵌して該一対の座板にそれぞれ重合されスタッドボルトの位置を垂直方向、該鉛直壁面方向、及びこの鉛直壁面方向に直交する方向に調整する一対のナットと、該スタッドボルトの頂部に取着された受け金と、この受け金上に螺着され出入口の下縁部に位置決め固定される敷居と、この敷居の位置決め時に第１金具の他のフランジ壁に螺着され該敷居の下面に螺着される逆Ｌ字状の第２金具と、この第２金具の螺着固定時に第１金具の１フランジ壁に取付金具及び受け金の代わりに螺着され該敷居の下面に螺着される逆Ｌ字状の第２金具とを備えたエレベータ乗場の敷居装置が提案されている（例えば、特許文献１参照）。また、他の従来技術として、伸縮自在な突っ張り棒の両端を、対向する昇降路側壁に押接させて昇降路内に横架し、乗場出入口に乗場敷居を据え付けるエレベータの乗場敷居の据付装置が提案されている（例えば、特許文献２参照）。
【先行技術文献】
【特許文献】
【０００４】
【特許文献１】特公平７−６４５１１号公報
【特許文献２】特開２００５−３４３５８８号公報
【発明の概要】
【発明が解決しようとする課題】
【０００５】
従来のエレベータの乗場敷居据付では、敷居の下側に木片、ライナ等を差し込み、高さ調整を行っていたため、芯出しに時間が掛かり過ぎるという課題があった。また、従来技術に記載されたものでは、構造が複雑であり、取り扱いが容易でなく、効率的とは言い難かった。
【０００６】
この発明は、上述のような課題を解決するためになされたもので、乗場の三方枠取付用縦アングルを活用して強力磁石付きの敷居芯出し具を取り付け、前後、左右、高さの調整が容易に行えるようにしたエレベータの乗場敷居据付装置を提供するものである。
【課題を解決するための手段】
【０００７】
この発明に係るエレベータの乗場敷居据付装置においては、乗場出入口の両側にそれぞれ垂直方向に立設された三方枠取付用縦アングルと、三方枠取付用縦アングルの下端部に互いに対向するように設けられた左右一対の敷居芯出し具と、左右一対の敷居芯出し具により支持された乗場敷居とを備え、左右一対の芯出し具は、強力磁石を内蔵し三方枠取付用縦アングルの下端部に磁力により吸着されて取り付けられる磁石保持部と、磁石保持部が一端に取り付け固定され、磁石取り付け側とは反対側に乗場敷居を支持する敷居受け金と、敷居受け金に支持される乗場敷居を押さえる敷居押さえ板と、敷居受け金と敷居押さえ板との間に乗場敷居を挟んで締結固定する締結具とを備えたものである。
【０００８】
また、左右一対の芯出し具は、強力磁石を内蔵し三方枠取付用縦アングルの下端部に磁力により吸着されて取り付けられる磁石保持部と、磁石保持部に一端が取り付け固定され、磁石取り付け側とは反対側に乗場敷居を載置して支持する敷居受け金と、敷居受け金上に載置された乗場敷居を上方から押さえる敷居押さえ板と、敷居受け金と敷居押さえ板との間に乗場敷居を挟んで締結固定する締結具とを備えたものである。
【０００９】
また、左右一対の芯出し具は、強力磁石を内蔵し三方枠取付用縦アングルの下端部に磁力により吸着されて取り付けられる磁石保持部と、磁石保持部が一端の上面に取り付け固定され、磁石取り付け側とは反対側下面に乗場敷居を配置して上方から受ける敷居受け金と、敷居受け金の下面に位置する乗場敷居を下方から押さえる敷居押さえ板と、敷居受け金と敷居押さえ板との間に乗場敷居を挟んで締結固定する締結具とを備えたものである。
【００１０】
また、敷居受け金は断面Ｌ字状であり、敷居受け金の磁石保持部への取り付け側端部の垂直部には、取付ねじが貫通する複数の貫通孔が設けられ、敷居受け金の乗場敷居載置側の水平部には、スタッドボルトが貫通する複数の貫通孔が設けられているものである。
【００１１】
また、敷居押さえ板は平板状であり、スタッドボルトの上端部が貫通する複数の貫通孔が設けられているものである。
【００１２】
また、締結具は、敷居受け金の水平部に上向きに起立して取り付けられたスタッドボルトと、スタッドボルトの上端部にねじ込まれる蝶ナットとからなるものである。
【００１３】
また、締結具は、敷居受け金の水平部下面に頭部が溶接固定され、上向きに起立して取り付けられたスタッドボルトと、スタッドボルトの上端部にねじ込まれる蝶ナットとからなるものである。
【００１４】
また、敷居受け金は平板状であり、前記敷居受け金の磁石保持部への取り付け側端部には、取付ねじが貫通する複数の貫通孔が設けられ、前記敷居受け金の乗場敷居配置側には、蝶ボルトが挿入される複数の貫通孔が設けられているものである。
【００１５】
また、敷居押さえ板は平板状であり、蝶ボルトの下端ねじ部がねじ込まれる複数のねじ孔が設けられているものである。
【００１６】
また、締結具は、敷居受け金の貫通孔に上方から挿脱される蝶ボルトと、敷居押さえ板に設けられ、前記蝶ボルトの下端ねじ部がねじ込まれるねじ孔とからなるものである。
【００１７】
また、締結具は、敷居受け金の貫通孔に上方から挿脱される蝶ボルトと、前記蝶ボルトの頭部下面と敷居受け金の上面との間に介在される座金と、敷居押さえ板に設けられ、前記蝶ボルトの下端ねじ部がねじ込まれるねじ孔とからなるものである。
【発明の効果】
【００１８】
この発明によれば、敷居下部との間に入れて高さを調整するライナが不要となり、且つ敷居がしっかり固定され、作業の定形化、簡易化を図ることができるので、敷居の芯出しを短時間で行うことができ、効率的な敷居芯出し作業を行うことができる効果がある。
【図面の簡単な説明】
【００１９】
【図１】この発明の実施例１におけるエレベータの乗場敷居据付装置の構成を示すエレベータ乗場の平面図である。
【図２】この発明の実施例１におけるエレベータの乗場敷居据付装置の構成を示すエレベータ乗場の正面図である。
【図３】この発明の実施例１におけるエレベータの乗場敷居据付装置に用いられる敷居芯出し具の構成を示す側面図である。
【図４】この発明の実施例１におけるエレベータの乗場敷居据付装置に用いられる敷居芯出し具の構成を示す正面図である。
【図５】この発明の実施例１におけるエレベータの乗場敷居据付装置に用いられる敷居芯出し具の敷居押さえ板を示す斜視図である。
【図６】この発明の実施例１におけるエレベータの乗場敷居据付装置に用いられる敷居芯出し具の敷居受け金を示す斜視図である。
【図７】この発明の実施例２におけるエレベータの乗場敷居据付装置に用いられる敷居芯出し具の主要部の構成を示す斜視図である。
【図８】この発明の実施例２におけるエレベータの乗場敷居据付装置に用いられる敷居芯出し具の敷居押さえ板を示す斜視図である。
【図９】この発明の実施例２におけるエレベータの乗場敷居据付装置の構成を示すエレベータ乗場の側面図である。
【図１０】エレベータの乗場敷居の最終的な据付状況を示すエレベータ乗場の側面図である。
【発明を実施するための形態】
【００２０】
実施例１．
図１はこの発明の実施例１におけるエレベータの乗場敷居据付装置の構成を示すエレベータ乗場の平面図、図２は同じくエレベータ乗場の正面図、図３はエレベータの乗場敷居据付装置に用いられる敷居芯出し具の構成を示す側面図、図４は同じく敷居芯出し具の構成を示す正面図、図５は敷居芯出し具の敷居押さえ板を示す斜視図、図６は敷居芯出し具の敷居受け金を示す斜視図である。
【００２１】
図１〜図６において、１は乗場出入口の両側にそれぞれ垂直方向に立設された断面Ｌ字状の三方枠取付用縦アングル、２は三方枠取付用縦アングル１の下端部付近において、互いに内向きに対向するように取り付けられた左右一対の敷居芯出し具、３は左右一対の敷居芯出し具２により両側の二箇所を支持された乗場敷居である。上記左右一対の敷居芯出し具２は、三方枠取付用縦アングル１の下端部付近に強力な磁力により吸着されて取り付けるための強力磁石４を内蔵している断面コ字状の磁石保持部５と、この磁石保持部５の垂直面に複数のねじにより一端が取り付け固定され、この取り付け端側とは反対側（昇降路側）の上面に乗場敷居３を載置して支持する断面Ｌ字状の比較的長尺な敷居受け金６と、この敷居受け金６上に載置された乗場敷居３を上方から押さえる平板状の敷居押さえ板７と、敷居受け金６と敷居押さえ板７との間に乗場敷居３を挟んで締結固定するためのスタッドボルト８と蝶ナット９からなる締結具とを備えている。上記断面Ｌ字状の敷居受け金６の磁石保持部５への取り付け端部側の垂直部には、複数のねじが貫通する複数（図では４個）の貫通孔６ａが設けられている。この貫通孔６ａは、移動作業床（図示せず）が当たらないようにするため、複数個設けておく必要がある。また、上記断面Ｌ字状の敷居受け金６の乗場敷居３載置側の水平部には、スタッドボルト８が貫通する複数（図では２個）の貫通孔６ｂが設けられており、スタッドボルト８の頭部は予め溶接により水平部下面に固定され、スタッドボルト８は上向きに起立して取り付けられている。上記平板状の敷居押さえ板７には、スタッドボルト８の上端部が貫通する複数（図では２個）の貫通孔７ａが設けられている。そして、上記乗場敷居３は、敷居受け金６と敷居押さえ板７との間に挟まれた状態で、スタッドボルト８の上端部にねじ込まれる蝶ナット９により締結固定されるものである。
【００２２】
上記の構成において、先ず、乗場出入口の両側にそれぞれ垂直方向に立設された断面Ｌ字状の三方枠取付用縦アングル１の下端部付近において、左右一対の敷居芯出し具２を互いに内向きに対向するように取り付け、敷居芯出し具２の下端を乗場仕上げ基準墨（図示せず）に合わせてセットする。この左右一対の敷居芯出し具２の三方枠取付用縦アングル１の下端部付近への取り付けは、敷居芯出し具２の磁石保持部５の強力磁石４の磁力により吸着させることで、簡単に取り付けることができる。次に、敷居芯出し具２の敷居受け金６の取り付け側端とは反対側の上面に乗場敷居３を載置し、乗場敷居３の上方から敷居押さえ板７で押さえた状態で、スタッドボルト８の上端部にねじ込まれる蝶ナット９により締結し仮固定する。なお、スタッドボルト８を予め溶接固定しておくことと、蝶ナット９で乗場敷居３を締結することにより、工具を使用せずに簡単に乗場敷居３を仮固定することができる。そして、ピアノ線基準で出入りを設定後、水準器を併用し、敷居受け金６の前後、左右、高さの調整が行うことにより、前後方向基準墨、中心基準墨、高さ方向建築基準墨に合わせて敷居の芯出しを短時間で容易に実施することができる。これにより、基礎プレートと鉄筋の溶接を行う必要がなく、また受け金を固定するための万力や、受け金と敷居下部との間に入れて高さを調整するライナが不要となり、作業の定形化、簡易化を図ることができるので、効率的な敷居芯出し作業を行うことができる。
【００２３】
実施例２．
図７はこの発明の実施例２におけるエレベータの乗場敷居据付装置に用いられる敷居芯出し具の主要部の構成を示す斜視図、図８は同じく敷居芯出し具の敷居押さえ板を示す斜視図、図９はエレベータの乗場敷居据付装置の構成を示すエレベータ乗場の側面図、図１０はエレベータの乗場敷居の最終的な据付状況を示すエレベータ乗場の側面図である。
【００２４】
図７〜図１０において、１１は乗場出入口の両側にそれぞれ垂直方向に立設された断面Ｌ字状の三方枠取付用縦アングル、１２は三方枠取付用縦アングル１１の下端部付近において、互いに内向きに対向するように取り付けられた左右一対の敷居芯出し具、１３は左右一対の敷居芯出し具１２により両側の二箇所を支持された乗場敷居である。上記左右一対の敷居芯出し具１２は、三方枠取付用縦アングル１の下端部付近に強力な磁力により吸着されて取り付けるための強力磁石１４を内蔵している断面コ字状の磁石保持部１５と、この磁石保持部１５を一端の上面に複数のねじ（図示せず）により取り付け固定され、この取り付け端側とは反対側（昇降路側）の下面側に乗場敷居１３を配置して上方から受ける平板状の比較的長尺な敷居受け金１６と、この敷居受け金１６の下面に位置する乗場敷居１３を下方から押さえる平板状の敷居押さえ板１７と、敷居受け金１６と敷居押さえ板１７との間に乗場敷居１３を挟んで締結固定するための蝶ボルト１８と座金１９からなる締結具とを備えている。上記平板状の敷居受け金１６の磁石保持部１５の取り付け端部側には、複数のねじが貫通する複数（図では６個）の貫通孔１６ａが設けられており、強力磁石１４の取付位置を移動可能な構成にしている。この貫通孔１６ａは、移動作業床（図示せず）が当たらないようにするため、複数個設けておく必要がある。また、上記平板状の敷居受け金１６の乗場敷居１３の上面を受ける水平部には、蝶ボルト１８が上方から挿脱される複数（図では２個）の貫通孔１６ｂが設けられており、蝶ボルト１８の頭部下面と敷居受け金１６の上面との間には座金１９を介在させている。上記平板状の敷居押さえ板１７には、蝶ボルト１８の下端部が上方からねじ込まれる複数（図では２個）のねじ孔１７ａが設けられている。そして、上記乗場敷居１３は、上下面が敷居受け金１６と敷居押さえ板１７との間に挟まれた状態で、蝶ボルト１８の頭部下面に座金１９を介在させ、敷居受け金１６の貫通孔１６ｂに上方から蝶ボルト１８を挿入し、蝶ボルト１８の下端ねじ部を敷居押さえ板１７のねじ孔１７ａにねじ込むことにより締結固定されるものである。
なお、図９及び図１０において、２０はエレベータ乗場の床部、２１は床部２０に埋設された溶接アンカー、２２は乗場敷居１３の下面と溶接アンカー２１を接続する鉄筋、２３は乗場敷居１３と溶接アンカー２１と鉄筋２２を埋めるモルタルである。例えば、床仕上がり面寸法Ａが狭くて、実施例１のような構成のものでは、強力磁石が床部２０に当たってしまう場合は、実施例２のような強力磁石を上側に置く構成のものが必要となる。
【００２５】
上記の構成において、先ず、乗場出入口の両側にそれぞれ垂直方向に立設された断面Ｌ字状の三方枠取付用縦アングル１１の下端部付近において、左右一対の敷居芯出し具１２を互いに内向きに対向するように取り付け、敷居芯出し具１２の下端を乗場仕上げ基準墨（図示せず）に合わせてセットする。この左右一対の敷居芯出し具１２の三方枠取付用縦アングル１１の下端部付近への取り付けは、敷居芯出し具１２の敷居受け金１６の上面に取り付けられた磁石保持部１５の強力磁石１４の磁力により吸着させることで、簡単に取り付けることができる。なお、強力磁石１４の取付位置を移動したい場合は、複数のねじが貫通する複数（図では６個）の貫通孔１６ａを適宜選択すれば可能である。次に、敷居押さえ板１７の上面に乗場敷居３の両側端部を支持しながら、敷居芯出し具１２の敷居受け金１６の取り付け側端とは反対側の下面と敷居押さえ板１７の上面との間に乗場敷居３を挟んだ状態で、蝶ボルト１８の頭部下面に座金１９を介在させて、敷居受け金１６の貫通孔１６ｂに上方から蝶ボルト１８を挿入し、蝶ボルト１８の下端ねじ部を敷居押さえ板１７のねじ孔１７ａにねじ込むことにより締結し仮固定する。なお、蝶ボルト１８の下端ねじ部を上方から敷居押さえ板１７のねじ孔１７ａにねじ込むことにしているので、工具を使用せずに簡単に乗場敷居１３を仮固定することができるばかりでなく、床部２０に邪魔されることなく、上方から蝶ボルト１８を容易に取り外すことができる。そして、ピアノ線基準で出入りを設定後、水準器を併用し、敷居受け金１６の前後、左右、高さの調整が行うことにより、前後方向基準墨、中心基準墨、高さ方向建築基準墨に合わせて敷居の芯出しを短時間で容易に実施することができる。これにより、基礎プレートと鉄筋の溶接を行う必要がなく、また受け金を固定するための万力や、受け金と敷居下部との間に入れて高さを調整するライナが不要となり、作業の定形化、簡易化を図ることができるので、効率的な敷居芯出し作業を行うことができる。また、図１０に示すように、床仕上がり面寸法Ａが狭くて、強力磁石が床部２０に当たってしまう場合でも、強力磁石１４を敷居受け金１６の上側に設置しているので、強力磁石が邪魔になるようなことがない。また、蝶ボルト１８が上方から容易に挿脱できるので、取り外しが簡単である。
【符号の説明】
【００２６】
１、１１  三方枠取付用縦アングル
２、１２  敷居芯出し具
３、１３  乗場敷居
４、１４  強力磁石
５、１５  磁石保持部
６、１６  敷居受け金
６ａ、６ｂ、１６ａ、１６ｂ  貫通孔
７、１７  敷居押さえ板
７ａ  貫通孔
８  スタッドボルト
９  蝶ナット
１７ａ  ねじ孔
１８  蝶ボルト
１９  座金
２０  床部
２１  溶接アンカー
２２  鉄筋
２３  モルタル
【図１】
0005691809.tif 000002
【図２】
0005691809.tif 000003
【図３】
0005691809.tif 000004
【図４】
0005691809.tif 000005
【図５】
0005691809.tif 000006
【図６】
0005691809.tif 000007
【図７】
0005691809.tif 000008
【図８】
0005691809.tif 000009
【図９】
0005691809.tif 000010
【図１０】
0005691809.tif 000011